(57)【要約】無線通信環境においてハイブリッド送信構造を適用することを容易にするシステムおよび方法論が記載される。おのおのの輸送ブロック（例えば、ＭＡＣ  ＰＤＵ）は、複数のコード・ブロックへ分割されうる。さらに、コード・ブロックのおのおのはさらに、２または２より多くのコード・ブロック・セグメントへ分割されうる。さらに、所与のコード・ブロックからのコード・ブロック・セグメントは、サブフレームの異なる時間スロット内で、チャネルを介して送信されうる。さらに、所与のサブフレーム内では、他のコード・ブロックに対応するコード・ブロック・セグメントが、時間的に連続して送信されうる。前述したことを利用することによって、時間／周波数ダイバーシティの最適化を可能にしながら、受信機において、パイプライン・デコーダ構造を適用することが可能となる。
2010532641.tif 000002
【特許請求の範囲】
【請求項１】
無線通信環境においてハイブリッド送信構造を適用することを容易にする方法であって、
輸送ブロックを複数のコード・ブロックへ分割することと、
前記複数のコード・ブロックのおのおのを、２または２より多いコード・ブロック・セグメントへ分割することと、
前記複数のコード・ブロックのおのおのに関連付けられたそれぞれの第１のコード・ブロック・セグメントを、サブフレームの第１の時間スロット内で送信することと、
前記複数のコード・ブロックのおのおのに関連付けられたそれぞれの第２のコード・ブロック・セグメントを、前記サブフレームの第２の時間スロット内で送信することと、
を備える方法。
【請求項２】
前記輸送ブロックは、符号化のために物理レイヤに提供される媒体アクセス制御（ＭＡＣ）プロトコル・データ・ユニット（ＰＤＵ）である請求項１に記載の方法。
【請求項３】
前記輸送ブロックを４つのコード・ブロックに分割することと、
前記４つのコード・ブロックのおのおのを、２つのコード・ブロック・セグメントに分割することと、
前記４つのコード・ブロックのおのおののコード・ブロック・セグメントのうちの最初の１つを含む第１の４つのコード・ブロック・セグメントを、前記サブフレームの第１の時間スロット内で送信することと、
前記４つのコード・ブロックのおのおののコード・ブロック・セグメントのうちの次の１つを含む第２の４つのコード・ブロック・セグメントを、前記サブフレームの第２の時間スロット内で送信することと、
をさらに備える請求項１に記載の方法。
【請求項４】
前記第１のコード・ブロック・セグメントのそれぞれを、前記第１の時間スロット内で時間的に連続して送信することと、
前記第２のコード・ブロック・セグメントのそれぞれを、前記第２の時間スロット内で時間的に連続して送信することと、
をさらに備える請求項１に記載の方法。
【請求項５】
受信機におけるデコーダが、パイプライン復号を有効とすることができるように、前記第１のコード・ブロック・セグメントのおのおのと、前記第２のコード・ブロック・セグメントのおのおのとを、交互に送信すること、
をさらに備える請求項１に記載の方法。
【請求項６】
前記複数のコード・ブロックのおのおのに対応する２または２より多いコード・ブロック・セグメントのそれぞれを、前記サブフレームの異なる時間スロット内で送信すること、
をさらに備える請求項１に記載の方法。
【請求項７】
前記第１のコード・ブロック・セグメントのおのおのと、前記第２のコード・ブロック・セグメントのおのおのとを、リソース・ブロックの周波数のフル・セットを用いて送信すること、
をさらに備える請求項１に記載の方法。
【請求項８】
無線通信装置であって、
リソース・ブロックに関連付けられた周波数のセットを用いてサブフレームの第１の時間スロット内で時間的に連続して送信される、コード・ブロックのセットに対応しているコード・ブロック・セグメントの第１のセットを送信することと、
前記リソース・ブロックに関連付けられた周波数のセットを用いて前記サブフレームの第２の時間スロット内で時間的に連続して送信される、前記コード・ブロックのセットに対応しているコード・ブロック・セグメントの第２のセットを送信することと、
に関連する命令群を保持するメモリと、
前記メモリに保持された命令群を実行するように構成され、前記メモリに接続されたプロセッサと、
を備える無線通信装置。
【請求項９】
前記メモリは、
輸送ブロックを分割して、前記コード・ブロックのセットを生成することと、
前記コード・ブロックのセットのうちのおのおののコード・ブロックを、２つのコード・ブロック・セグメントへ分割することと、
に関連する命令群をさらに保持する請求項８に記載の無線通信装置。
【請求項１０】
前記輸送ブロックは、符号化のために物理レイヤに提供される媒体アクセス制御（ＭＡＣ）プロトコル・データ・ユニット（ＰＤＵ）である請求項９に記載の無線通信装置。
【請求項１１】
前記メモリはさらに、
受信機におけるデコーダが、パイプライン復号を有効とすることができるように、前記コード・ブロック・セグメントの第１のセットおよび第２のセットにおけるコード・ブロック・セグメントのおのおのを、異なる時間に送信すること、
に関連する命令群を保持する請求項８に記載の無線通信装置。
【請求項１２】
前記リソース・ブロックに関連付けられた周波数のセットは、前記リソース・ブロックの全ての周波数を含む請求項８に記載の無線通信装置。
【請求項１３】
無線通信装置においてハイブリッド送信構造を利用することを可能にする無線通信装置であって、
輸送ブロックに関連付けられたおのおののコード・ブロックをそれぞれ、２つのコード・ブロック・セグメントに分割する手段と、
ハイブリッド送信構造に基づいて、前記コード・ブロックのおのおののコード・ブロック・セグメントのうちの１つを含むコード・ブロック・セグメントの第１のセットを、サブフレームの第１の時間スロット内に、前記コード・ブロックのおのおののコード・ブロック・セグメントのうちの他のものを含むコード・ブロック・セグメントの第２のセットを、前記サブフレームの第２の時間スロット内に送信する手段と、
を備える無線通信装置。
【請求項１４】
前記輸送ブロックを、前記コード・ブロックに分割する手段、
をさらに備える請求項１３に記載の無線通信装置。
【請求項１５】
前記輸送ブロックは、符号化のために物理レイヤに提供される媒体アクセス制御（ＭＡＣ）プロトコル・データ・ユニット（ＰＤＵ）である請求項１３に記載の無線通信装置。
【請求項１６】
前記コード・ブロック・セグメントの第１のセットは、前記第１の時間スロット内で時間的に連続して送信され、前記コード・ブロック・セグメントの第２のセットは、前記第２の時間スロット内で時間的に連続して送信される
請求項１３に記載の無線通信装置。
【請求項１７】
受信機におけるデコーダが、パイプライン復号を有効とすることができるように、前記コード・ブロック・セグメントの第１のセットおよび第２のセットにおけるコード・ブロック・セグメントのおのおのが、それぞれユニークな時間において送信される、
請求項１３に記載の無線通信装置。
【請求項１８】
前記コード・ブロック・セグメントの第１のセットおよび第２のセットにおけるコード・ブロック・セグメントのおのおのが、リソース・ブロックの周波数のフル・セットを用いて送信される、
請求項１３に記載の無線通信装置。
【請求項１９】
輸送ブロックを複数のコード・ブロックへ分割するためのコードと、
前記複数のコード・ブロックのおのおのを、２または２より多いコード・ブロック・セグメントへ分割するためのコードと、
前記複数のコード・ブロックのおのおのに関連付けられたそれぞれの第１のコード・ブロック・セグメントを、サブフレームの第１の時間スロット内で送信するためのコードと、
前記複数のコード・ブロックのおのおのに関連付けられたそれぞれの第２のコード・ブロック・セグメントを、前記サブフレームの第２の時間スロット内で送信するためのコードと、
を備えるコンピュータ読取可能媒体を備えるコンピュータ・プログラム製品。
【請求項２０】
前記輸送ブロックは、符号化のために物理レイヤに提供される媒体アクセス制御（ＭＡＣ）プロトコル・データ・ユニット（ＰＤＵ）である請求項１９に記載のコンピュータ・プログラム製品。
【請求項２１】
前記コンピュータ読取可能媒体はさらに、
前記輸送ブロックを４つのコード・ブロックに分割するためのコードと、
前記４つのコード・ブロックのおのおのを、２つのコード・ブロック・セグメントに分割するためのコードと、
前記４つのコード・ブロックのおのおののコード・ブロック・セグメントのうちの最初の１つを含む第１の４つのコード・ブロック・セグメントを、前記サブフレームの第１の時間スロット内で送信するためのコードと、
前記４つのコード・ブロックのおのおののコード・ブロック・セグメントのうちの次の１つを含む第２の４つのコード・ブロック・セグメントを、前記サブフレームの第２の時間スロット内で送信するためのコードと、
を備える請求項１９に記載のコンピュータ・プログラム製品。
【請求項２２】
前記コンピュータ読取可能媒体はさらに、
前記第１のコード・ブロック・セグメントのそれぞれを、前記第１の時間スロット内で時間的に連続して送信するためのコードと、
前記第２のコード・ブロック・セグメントのそれぞれを、前記第２の時間スロット内で時間的に連続して送信するためのコードと、
を備える請求項１９に記載のコンピュータ・プログラム製品。
【請求項２３】
前記コンピュータ読取可能媒体はさらに、
受信機におけるデコーダが、パイプライン復号を有効とすることができるように、前記第１のコード・ブロック・セグメントのおのおのと、前記第２のコード・ブロック・セグメントのおのおのとを、交互に送信するためのコード
を備える請求項１９に記載のコンピュータ・プログラム製品。
【請求項２４】
前記コンピュータ読取可能媒体はさらに、
前記複数のコード・ブロックのおのおのに対応する２または２より多いコード・ブロック・セグメントのそれぞれを、前記サブフレームの異なる時間スロット内で送信するためのコード、
を備える請求項１９に記載のコンピュータ・プログラム製品。
【請求項２５】
前記コンピュータ読取可能媒体はさらに、
前記第１のコード・ブロック・セグメントのおのおのと、前記第２のコード・ブロック・セグメントのおのおのとを、リソース・ブロックの周波数のフル・セットを用いて送信するためのコード、
を備える請求項１９に記載のコンピュータ・プログラム製品。
【請求項２６】
無線通信システムにおける装置であって、
輸送ブロックをコード・ブロックに分割し、
前記コード・ブロックのおのおのを、それぞれ２つのコード・ブロック・セグメントに分割し、
ハイブリッド送信構造に基づいて、前記コード・ブロックのおのおののコード・ブロック・セグメントのうちの１つを含むコード・ブロック・セグメントの第１のセットを、サブフレームの第１の時間スロット内で連続して送信し、前記コード・ブロックのおのおののコード・ブロック・セグメントのうちの他のものを含むコード・ブロック・セグメントの第２のセットを、前記サブフレームの第２の時間スロット内で連続して送信する、
ように構成されたプロセッサを備える装置。
【発明の詳細な説明】
【関連出願に対する相互参照】
【０００１】
本願は、２００７年６月２５日に出願され"METHOD AND APPARATUS FOR CHANNEL INTERLEAVING IN A WIRELESS COMMUNICATION"と題された米国仮出願６０／９４６，１０７号の利益を主張する。上記出願の全体は、参照によって本明細書に組み込まれる。
【技術分野】
【０００２】
以下の記載は、一般に、無線通信に関し、さらに詳しくは、無線通信システムにおいてパイプライン復号を可能にしながら時間ダイバーシティおよび周波数ダイバーシティを高めるチャネル・インタリーブ構造を適用することに関する。
【背景技術】
【０００３】
無線通信システムは、様々なタイプの通信を提供するために広く開発されており、例えば、音声および／またはデータが、そのような無線通信システムを介して提供されうる。一般的な無線通信システムまたはネットワークは、（例えば、帯域幅、送信電力等のような）１または複数の共有リソースへのアクセスを複数のユーザへ提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のようなさまざまな多元接続技術を使用することができる。
【０００４】
通常、無線多元接続通信システムは、複数のモバイル・デバイスのための通信を同時にサポートすることができる。おのおののアクセス端末は、順方向リンクおよび逆方向リンクによる送信によって、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力システムによって確立されうる。
【０００５】
ＭＩＭＯシステムは、データ送信のために、複数（ＮＴ個）の送信アンテナと、複数（ＮＲ個）の受信アンテナとを利用する。ＮＴ個の送信アンテナおよびＮＲ個の受信アンテナによって形成されるＭＩＭＯチャネルは、空間チャネルと称されうるＮＳ個の独立したチャネルに分解される。ここでＮＳ≦｛ＮＴ，ＮＲ｝である。ＮＳ個の独立チャネルのおのおのは、ディメンションに相当する。さらに、複数の送信アンテナおよび複数の受信アンテナによって生成されたさらなるディメンションが利用されるのであれば、ＭＩＭＯシステムは、向上したパフォーマンス（例えば、高められた空間効率、より高いスループット、および／または、より高い信頼性）を与えることができる。
【０００６】
ＭＩＭＯシステムは、共通の物理媒体によって順方向リンク通信および逆方向リンク通信を分割するさまざまな二重化技術をサポートしうる。例えば、周波数分割デュプレクス（ＦＤＤ）システムは、順方向リンク通信および逆方向リンク通信のために、別の周波数領域を利用しうる。さらに、時分割デュプレクス（ＴＤＤ）システムでは、順方向リンク通信および逆方向リンク通信が、共通の周波数領域を利用しうる。このような相互原理により、逆方向リンク・チャネルから順方向リンク・チャネルを推定できるようになる。
【０００７】
無線通信システムはしばしば、有効範囲領域を提供する１または複数の基地局を使用する。一般的な基地局は、ブロードキャスト・サービス、マルチキャスト・サービス、および／またはユニキャスト・サービスのために、複数のデータ・ストリームを送信しうる。ここで、データ・ストリームは、アクセス端末への独立した受信対象でありうる。合成ストリームによって搬送される１つ、１つ以上、あるいは全てのデータ・ストリームを受信するために、そのような基地局の有効範囲領域内のアクセス端末が適用されうる。同様に、アクセス端末は、基地局あるいは別のアクセス端末へデータを送信することができる。
【０００８】
従来のさまざまな送信構造は一般に、チャネルを介してデータを送信する無線通信装置によって利用される。例えば、パケットは、符合化され、これらさまざまな従来の送信構造によって述べられるような時間／周波数リソースのサブセットを用いて、チャネルを介して送信される。しかしながら、従来のいくつかの送信構造は、貧弱な時間ダイバーシティしか提供しないので、チャネル条件が（例えば、無線通信装置の高速移動による速いフェージング・チャネルのように）急速に変化する場合には特に問題となりうる。さらに、その他の一般的な送信構造もしばしば貧弱な周波数ダイバーシティしか与えない。また、いくつかの一般的な送信構造は、デコーダに関連するレイテンシをもたらしうる（例えば、複数のコード・ブロックの同時受信が完了した場合、サブフレームの終了後に、複数のコード・ブロックのために復号が開始される等）。
【発明の概要】
【０００９】
以下は、１または複数の実施形態の基本的な理解を提供するために、そのような実施形態の簡略化された概要を示す。この概要は、考えられる全ての実施形態の広範な概観ではなく、これら全ての実施形態の重要要素や決定的要素を特定することでも、任意または全ての実施形態を線引きすることでもないことが意図される。その唯一の目的は、開示された態様の幾つかの概念を、後に示されるより詳細な説明の前置きとして簡単な形式で示すことである。
【００１０】
１または複数の実施形態およびそれらに対応する開示によれば、さまざまな態様が、無線通信環境におけるハイブリッド送信構造の適用を容易にすることに関連して記載される。おのおのの輸送ブロック（例えば、ＭＡＣ  ＰＤＵ）は、複数のコード・ブロックへ分割されうる。コード・ブロックのおのおのはさらに、２または２よりも多いコード・ブロック・セグメントに分割されうる。さらに、所与のコード・ブロックからのコード・ブロック・セグメントが、サブフレームの異なる時間スロット内で、チャネルを介して送信されうる。さらに、所与のサブフレーム内では、他のコード・ブロックに対応するコード・ブロック・セグメントが、時間的に連続して送信されうる。上記技術を利用することにより、時間／周波数ダイバーシティの最適化を達成しながら、受信機においてパイプライン・デコーダ構成を適用することが可能となる。
【００１１】
関連する態様によれば、本明細書では、無線通信環境においてハイブリッド送信構造を適用することを容易にする方法が記載される。この方法は、輸送ブロックを複数のコード・ブロックへ分割することを含みうる。さらに、この方法は、複数のコード・ブロックのおのおのを、２または２より多いコード・ブロック・セグメントへ分割することを含みうる。さらに、この方法は、複数のコード・ブロックのおのおのに関連付けられた第１のコード・ブロック・セグメントのそれぞれを、サブフレームの第１の時間スロット内で送信することを備えうる。この方法はまた、複数のコード・ブロックのおのおのに関連付けられた第２のコード・ブロック・セグメントのそれぞれを、サブフレームの第２の時間スロット内で送信することを備えうる。
【００１２】
別の態様は、無線通信装置に関する。無線通信装置は、リソース・ブロックに関連付けられた周波数のセットを用いて、サブフレームの第１の時間スロット内で時間的に連続して送信されうる、コード・ブロックのセットに対応するコード・ブロック・セグメントの第１のセットを送信することと、リソース・ブロックに関連付けられた周波数のセットを用いて、サブフレームの第２の時間スロット内で時間的に連続して送信されうる、コード・ブロックのセットに対応するコード・ブロック・セグメントの第２のセットを送信することと、に関連する命令群を保持するメモリを備えうる。さらに、無線通信装置は、メモリに保持された命令群を実行するように構成されメモリに接続されたプロセッサを含みうる。
【００１３】
別の態様は、無線通信環境においてハイブリッド送信構造を利用することを可能にする無線通信装置に関する。無線通信装置は、輸送ブロックに関連付けられたおのおののコード・ブロックを、それぞれ２つのコード・ブロック・セグメントへ分割する手段を含みうる。さらに、無線通信装置は、ハイブリッド送信構造に基づいて、コード・ブロックのおのおのの各コード・ブロック・セグメントのうちの１つを含むコード・ブロック・セグメントの第１のセットを、サブフレームの第１の時間スロット内で、コード・ブロックのおのおのの各コード・ブロック・セグメントのうちの他のものを含むコード・ブロック・セグメントの第２のセットを、サブフレームの第２の時間スロット内で送信する手段を含みうる。
【００１４】
また別の態様は、コンピュータ読取可能媒体を備えうるコンピュータ・プログラム製品に関する。このコンピュータ読取可能媒体は、輸送ブロックを複数のコード・ブロックに分割するためのコードを含みうる。さらに、コンピュータ読取可能媒体は、複数のコード・ブロックのおのおのを、２または２より多いコード・ブロック・セグメントへ分割するためのコードを含みうる。さらに、コンピュータ読取可能媒体は、複数のコード・ブロックのおのおのに関連付けられた第１のコード・ブロック・セグメントを、サブフレームの第１の時間スロット内で送信するためのコードを含みうる。コンピュータ読取可能媒体はさらに、複数のコード・ブロックのおのおのに関連付けられた第２のコード・ブロック・セグメントを、サブフレームの第２の時間スロット内で送信するためのコードを含みうる。
【００１５】
別の態様によれば、無線通信システムにおける装置はプロセッサを含みうる。このプロセッサは、輸送ブロックをコード・ブロックに分割するように構成されうる。さらに、このプロセッサは、コード・ブロックのおのおのを、それぞれ２つのコード・ブロック・セグメントへ分割するように構成されうる。さらに、このプロセッサは、ハイブリッド送信構造に基づいて、コード・ブロックのおのおのの各コード・ブロック・セグメントのうちの１つを含むコード・ブロック・セグメントの第１のセットを、サブフレームの第１の時間スロット内で、コード・ブロックのおのおのの各コード・ブロック・セグメントのうちの他のものを含むコード・ブロック・セグメントの第２のセットを、サブフレームの第２の時間スロット内で、連続的に送信するように構成されうる。
【００１６】
前述した目的および関連する目的を達成するために、１または複数の実施形態は、後に十分に記載され特に請求項において指摘される特徴を備えている。以下の記載および添付図面は、１または複数の実施形態のうちのある例示的な態様を詳細に述べている。しかしながら、これらの態様は、さまざまな実施形態の原理が適用されるさまざまな方法のうちのほんの僅かを示すに過ぎず、記述された実施形態は、そのような態様およびその等価物の全てを含むことが意図される。
【図面の簡単な説明】
【００１７】
【図１】図１は、本明細書に記載されたさまざまな態様にしたがう無線通信システムの実例である。
【図２】図２は、無線通信環境においてハイブリッド送信構造を適用するシステムの実例である。
【図３】図３は、主題となる開示のさまざまな態様にしたがって利用される送信構造の例（例えば、多重化構造等）を例示する。
【図４】図４は、主題となる開示のさまざまな態様にしたがって利用される送信構造の例（例えば、多重化構造等）を例示する。
【図５】図５は、主題となる開示のさまざまな態様にしたがって利用される送信構造の例（例えば、多重化構造等）を例示する。
【図６】図６は、無線通信環境においてハイブリッド送信構造を適用することを容易にする方法論の実例である。
【図７】図７は、無線通信環境において他のコード・ブロックに対するチャネル均一性を高めながらデコーダがパイプライン復号を可能とする方法論の実例である。
【図８】図８は、無線通信システムにおいて、ハイブリッド送信構造にしたがってデータを送信するアクセス端末の実例である。
【図９】図９は、無線通信環境において、データを送信するためにハイブリッド送信構造を使用するシステムの実例である。
【図１０】図１０は、本明細書に記載されたさまざまなシステムおよび方法と共に適用されうる無線ネットワーク環境の実例である。
【図１１】図１１は、無線通信環境においてハイブリッド送信構造を利用することを可能にするシステムの実例である。
【発明を実施するための形態】
【００１８】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、１または複数の実施形態の記載を容易にするために、周知の構成およびデバイスがブロック図形式で示される。
【００１９】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２０】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムに使用されうる。「システム」、「ネットワーク」という用語はしばしば交換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実施することができる。ＯＦＤＭＡシステムは、例えばエボルブドＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。
【００２１】
単一キャリア周波数分割多元接続（ＳＣ−ＦＤＭＡ）は、単一キャリア変調および周波数領域等値化を利用する。ＳＣ−ＦＤＭＡは、ＯＦＤＭＡシステムと同様のパフォーマンスおよび全体的に実質的に同じ複雑さを有する。ＳＣ−ＦＤＭＡ信号は、固有の単一キャリア構造により、低いピーク対平均電力比（ＰＡＰＲ）を有する。ＳＣ−ＦＤＭＡは、例えば、低いＰＡＰＲが送信電力効率の観点からアクセス端末に大いに利益をもたらすアップリンク通信において使用される。したがって、ＳＣ−ＦＤＭＡは、３ＧＰＰロング・ターム・エボリューション（ＬＴＥ）またはエボルブドＵＴＲＡにおいてアップリンク多元接続スキームとして実現されうる。
【００２２】
さらに、さまざまな実施形態が、本明細書ではアクセス端末に関して記載される。アクセス端末はまた、システム、加入者ユニット、加入者局、モバイル局、モバイル、遠隔局、遠隔端末、モバイル・デバイス、ユーザ端末、無線通信デバイス、ユーザ・エージェント、ユーザ・デバイス、またはユーザ機器（ＵＥ）とも称されうる。アクセス端末は、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して記載される。基地局は、アクセス端末と通信するために利用され、また、アクセス・ポイント、ノードＢ、エボルブド・ノードＢ（ｅノードＢ）、またはその他幾つかの専門用語でも称されうる。
【００２３】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２４】
図１に示すように、本明細書で示されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多い、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２５】
基地局１０２は、例えばアクセス端末１１６およびアクセス端末１２２のような１または複数のアクセス端末と通信することができる。しかしながら、基地局１０２は、アクセス端末１１６およびアクセス端末１２２に類似した実質的に任意の数のアクセス端末と通信しうることが理解されるべきである。アクセス端末１１６およびアクセス端末１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、アクセス端末１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、アクセス端末１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは別の周波数帯域を使用し、順方向リンク１２４は、逆方向リンク１２６によって使用されるものとは別の周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２６】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連する有効範囲にランダムに散在したアクセス端末１１６、１２２に送信するためにビームフォーミングを利用している間、近隣セル内のアクセス端末は、全てのアクセス端末に対して単一アンテナによって送信している基地局に比べて、少ない干渉しか被らない。
【００２７】
基地局１０２、アクセス端末１１６、および／またはアクセス端末１２２は、所与の時間において、送信無線通信装置および／または受信無線通信装置になり得る。データを送信する場合、送信無線通信装置は、転送のためのデータを符号化しうる。特に、送信無線通信装置は、チャネルを介して受信無線通信装置へ送られる一定数の情報ビットを有しうる（例えば、生成する、取得する、メモリに保持する等）。そのような情報ビットは、複数のコード・ブロックを生成するためにセグメント化されうるデータからなる輸送ブロック（あるいは、複数の輸送ブロック）内に含まれうる。複数のコード・ブロックのおのおのはその後、さらに、少なくとも２つのコード・ブロック・セグメント（例えば、コード・ブロック部分等）に分割されうる。コード・ブロックまたはコード・ブロック・セグメントは、送信のために（例えば、対応する符合化されたコード・ブロックまたは符合化されたコード・ブロック・セグメント等を生成するために）符合化されうる。
【００２８】
さらに、符合化されたコード・ブロック・セグメントを送信する送信無線通信装置によって、ハイブリッド送信構造が利用されうる。ハイブリッド送信構造を利用して、第１のコード・ブロックの第１のセグメントが、サブフレーム内の第１の時間スロット内で送信され、第１のコード・ブロックの第２のセグメントが、サブフレーム内の第２の時間スロット内で送信されうる。第１のコード・ブロック・セグメントと第２のコード・ブロック・セグメントの両方は、対応する時間スロット内でスケジュールされたそれぞれの時間において、全ての周波数リソースを用いて送信されうる。さらに、所与の時間スロット内では、他のコード・ブロックからのセグメントが、時間的に連続して送信されうる。したがって、最高の時間／周波数ダイバーシティを可能にしながら、受信無線通信装置におけるパイプラン・デコーダ構成を可能にするために、サブフレームの両方の時間スロットでコード・ブロックが送信される（例えば、コード・ブロックのおのおのの他のセグメントが、サブフレームの異なる時間スロット内で送信される）。しかしながら、他のコード・ブロックのセグメントが、おのおのの時間スロット内で連続的に送信される。
【００２９】
図２に移って、無線通信環境においてハイブリッド送信構造を適用するシステム２００が例示される。システム２００は、チャネルを介して受信無線通信装置２０４へデータを送信する送信無線通信装置２０２を含む。送信無線通信装置２０２が受信無線通信装置２０４へデータを送信するように示されているが、（例えば同時に、あるいは異なる時間に）送信無線通信装置２０２がデータを受信し、および／または、受信無線通信装置２０４がデータを送信しうることが認識されるべきである。したがって、図示していないが、送信無線通信装置２０２および受信無線通信装置２０４は、実質的に類似しうることが認識されるべきである。送信無線通信装置２０２は例えば、基地局（例えば、図１の基地局１０２）、アクセス端末（例えば、図１のアクセス端末１１６、図１のアクセス端末１２２）等でありうる。さらに、受信無線通信装置２０２は例えば、基地局（例えば、図１の基地局１０２）、アクセス端末（例えば、図１のアクセス端末１１６、図１のアクセス端末１２２）等でありうる。
【００３０】
例によれば、システム２００は、ロング・ターム・エボリューション（ＬＴＥ）ベースの無線通信システムでありうるが、権利主張された主題は、それに限定されない。さらに、送信無線通信装置２０２は、本明細書に記載されたように、アップリンク・チャネル（例えば、物理アップリンク共有チャネル（ＰＳＵＣＨ））、または、ダウンリンク・チャネル（例えば、物理ダウンリンク共有チャネル（ＰＤＳＣＨ））等によってデータを送信しうることが認識されるべきである。別の実例によれば、送信無線通信装置２０２および受信無線通信装置２０４は、ピアでありうる。したがって、本明細書で記載されるようにピア・トゥ・ピア方式でデータが送信されうる。しかしながら、権利主張された主題は、上記例に限定されない。
【００３１】
送信無線通信装置２０２は、おのおのの輸送ブロックから、複数のコード・ブロックを生成するコード・ブロック生成器２０６を含みうる。例えば、輸送ブロック（例えば、媒体アクセス制御（ＭＡＣ）プロトコル・データ・ユニット（ＰＤＵ））は、コード・ブロック生成器２０６によって取得されうる。さらに、コード・ブロック生成器２０６は、取得した輸送ブロックを、複数のコード・ブロックへ分割しうる。例えば、輸送ブロックは、コード・ブロック生成器２０６によって、Ｍ個のコード・ブロック（例えば、コード・ブロック０、コード・ブロック１、・・・、コード・ブロックＭ−１）へセグメント化されうる。ここでＭは、実質的に任意の整数でありうる。さらに、コード・ブロック生成器２０６によって生成される各コード・ブロックの最大サイズは、６キロビット（例えば、６０１６ビット）でありうる。しかしながら、権利主張された主題はそれに限定されない。例によれば、コード・ブロック生成器２０６によって受信される輸送ブロックのサイズは、２４キロビットである。したがって、コード・ブロック生成器２０６は、そのような輸送ブロックを、おのおのが６キロビットのサイズを有する４つのコード・ブロックへ分割しうる。別の実例によれば、コード・ブロック生成器２０６によって取得された輸送ブロックのサイズは、１２キロビットである。したがって、コード・ブロック生成器２０６は、おのおのが６キロビットのサイズを有する２つのコード・ブロックを生成しうる。しかしながら、システム２００と接続する際に、輸送ブロック毎に任意の数のコード・ブロックおよび／または任意の輸送ブロック・サイズが利用されることが考慮されるので、権利主張された主題は、前述した例に限定されないことが認識されるべきである。
【００３２】
送信無線通信装置２０２はさらに、コード・ブロック生成器２０６によって出力されたおのおののコード・ブロックを、少なくとも２つのコード・ブロック・セグメントへ分割するコード・ブロック・デバイダ２０８を含みうる。例によれば、コード・ブロック・デバイダ２０８は、コード・ブロックを、２つのコード・ブロック・セグメントに分割しうる。実例によれば、コード・ブロック・デバイダ２０８は、６キロビットのサイズを有するコード・ブロックを、おのおの３キロビットのサイズを有する２つのコード・ブロック・セグメントへ分割しうる。以下はコード・ブロックを２つのコード・ブロック・セグメントに分割するコード・ブロック・デバイダ２０８を記載するが、コード・ブロック・デバイダ２０８は、別の例によれば、コード・ブロックを、２より多いコード・ブロック・セグメントへ分割しうることが認識されるべきである。
【００３３】
さらに、送信されるデータを符合化するエンコーダ２１０が、送信無線通信装置２０２に含まれうる。例えば、コード・ブロック生成器２０６によって生成されたコード・ブロックが、エンコーダ２１０へ入力されうる。その後、コード・ブロック・デバイダ２０８が、それぞれ入力されたコード・ブロックに対応する符合化された出力を、少なくとも２つの符合化されたコード・ブロック・セグメントへ分割しうる。別の例によれば、コード・ブロック・デバイダ２０８によって提供されたコード・ブロック・セグメントが、エンコーダ２１０へ入力されうる。（例えば、ターボ・コード・エンコーダのような）実質的に任意のタイプのエンコーダ２１０が利用されうることが考慮される。
【００３４】
送信無線通信装置２０２はまた、インタリーバ２１２および送信機２１４をも含みうる。インタリーバ２１２（例えば、チャネル・インタリーバ）は、Quadratic Permutation Polynomial （ＱＰＰ）インタリーバでありうる。しかしながら、権利主張された主題は、そのように限定されない。さらに、インタリーバ２１２は、サーキュラ・バッファ・ベースのレート・マッチング構造を使用しうる。サーキュラ・バッファ・ベースのレート・マッチングを用いて、おのおののコード・ブロックは、送信前に個別にレート・マッチングされうる。レート・マッチングされたコード・ブロックはその後、送信機２１４によって、チャネルを介して（例えば、受信無線通信装置２０４へ）送信されうる。
【００３５】
送信機２１４は、ハイブリッド送信構造（例えば、ハイブリッド多重化構造）を用いて、受信無線通信装置２０４にコード・ブロックを送信しうる。対照的に、従来のさまざまな技術は、連続送信構造（例えば、連続多重化構造）または並列送信構造（例えば、並列多重化構造）を利用する。連続送信構造では、おのおののコード・ブロック送信が、サブフレームのフラクションに制限される。２つのコード・ブロックを用いる例によれば、（例えば、１ｍｓの持続時間を有するサブフレームを仮定すると）おのおののコード・ブロックは、連続送信構造が使用される場合、アップリンクで０．５ｍｓに及びうる。サブフレームのそれぞれのフラクションへコード・ブロックを制限するにより、高ドップラ・シナリオでは、有効な信号対雑音比（ＳＮＲ）が、複数のコード・ブロックにわたって異なりうる。さらに、並列送信構造では、おのおののコード・ブロック送信は、サブフレーム全体に及びうる。したがって、有効なＳＮＲは実質的に複数のコード・ブロックにわたって類似しうる。しかしながら、従来の並列送信構造が使用される場合、受信機は復調処理をパイプライン化できないが、送信されたコード・ブロックの復調は、コード・ブロックが完了したとき、サブフレームの終了時であるか、および／または、サブフレームの終了後に始まる。
【００３６】
ハイブリッド送信構造において説明したように、送信機２１４は、（例えば、おのおののサブフレームが２つのスロットを含むと仮定すると）コード・ブロックがサブフレーム内の両方のスロットに及ぶように、チャネルを介しておのおののコード・ブロックを送信しうる。例えば、コード・ブロック・デバイダ２０８によって生成されたようなコード・ブロックの第１のコード・ブロック・セグメントは、サブフレームの第１の時間スロットの一部において、利用可能な全ての周波数を用いて送信されうる。また、コード・ブロック・デバイダ２０８によって生成されたようなコード・ブロックの第２のコード・ブロック・セグメントは、サブフレームの第２の時間スロットの一部において、利用可能な全ての周波数を用いて送信されうる。さらに、スロット内では、コード・ブロック・セグメントが、時間的に連続して送信されうる。したがって、コード・ブロック０からのセグメントは、スロット内で送信されうる。コード・ブロック０からのそのようなセグメントに関連する送信が完了すると、コード・ブロック１からのセグメントに関する送信が開始されうる。
【００３７】
受信無線通信装置２０４はさらに受信機２１６およびパイプライン・デコーダ２１８を含みうる。受信機２１６は、送信無線通信装置２０２から送信されたコード・ブロック・セグメントを取得し、取得したコード・ブロック・セグメントを、パイプライン・デコーダ２１８へ提供しうる。パイプライン・デコーダ２１８は、取得したコード・ブロック・セグメントを復号しうる。さらに、コード・ブロック・セグメントは、おのおのおスロット内で、時間的に連続して送信されるので、パイプライン・デコーダ２１８は、完全なコード・ブロック・セグメントを受信すると、これらセグメントの復号を開始しうる。別の例によれば、パイプライン・デコーダ２１８は、完全なコード・ブロックを取得すると（例えば、ともに共通のコード・ブロックに対応する第１のコード・ブロック・セグメントと第２のコード・ブロック・セグメントとを受信すると）、コード・ブロックの復号を開始しうる。したがって、サブフレームの終了まで待つ必要なく、パイプライン・デコーダ２１８は、そのようなセグメントがチャネルを介して通信される場合に基づいて、異なる時間において、コード・ブロック・セグメントのおのおのの（あるいはコード・ブロックのおのおのの）復号を開始しうる。したがって、受信無線通信装置２０４は、復調処理をパイプライン化し、もって、ターン・アラウンド・レイテンシを低減する。
【００３８】
図３乃至図５に示すように、主題となる開示のさまざまな態様にしたがって利用されうる送信構造（例えば、多重化構造）の例が示される。説明を単純にする目的のために、おのおのの例は、持続時間が１つのサブフレームあるいは２つの連続したスロット（例えば、時間スロット）に等しい時間ディメンションおよび周波数ディメンションにおけるリソース・ブロックを示す。サブフレームの連続するスロットのおのおのは、持続時間が０．５ミリ秒でありうる。図示していないが、リソース・ブロックの全体は、複数の時間／周波数リソース要素（例えば、所与のトーンにおけるＯＦＤＭシンボル）を含みうる。さらに、これらの例で図示されるように、４つのコード・ブロック（例えば、コード・ブロック０（ＣＢ＃０）、コード・ブロック１（ＣＢ＃１）、コード・ブロック２（ＣＢ＃２）、およびコード・ブロック３（ＣＢ＃３））は、これら送信構造の例を用いて、チャネルを介して送信されうる。コード・ブロックは、本明細書に記載されるように、輸送ブロック（例えば、パケット）から生成されうる。例えば、輸送ブロックは、これら４つのコード・ブロックへ分割されうる（例えば、２４キロビットの輸送ブロックは、４つの６キロビットのコード・ブロックへ分割されうる）。図３乃至図５は、例示の目的で提供され、開示された主題は、これら例の範囲に限定されないことが認識されるべきである。例えば、実質的に任意の数のコード・ブロックが、サブフレーム内で送信され、実質的に任意の数のコード・ブロック・セグメントがおのおののコード・ブロックから生成されうること等ことが考慮される。別の例によれば、４つのコード・ブロックを生成するために、２または２より多い輸送ブロックが分割されうる（例えば、２つの輸送ブロックがおのおの２つのコード・ブロックへ分割され、合計して４つのコード・ブロックが与えられる）。さらなる例によれば、輸送ブロックは、４つのコード・ブロックのみならず、少なくとも１つの追加コード・ブロック（図示せず）を生成するように分割されうる（例えば、追加コード・ブロックは、他のサブフレームの一部として送信されうる。送信が禁じられる等）。
【００３９】
図３に移って、連続送信構造３００の例が示される。４つのコード・ブロックは、チャネル（例えば、アップリンク・チャネル、ダウンリンク・チャネル）を介して送信する送信機（例えば、図２の送信機２１４）によって取得されうる。連続送信構造３００が適用された場合、４つのコード・ブロックのおのおのは、連続的に送信されうる。したがって、コード・ブロック０がまず送信され、次にコード・ブロック１、コード・ブロック２、最後にコード・ブロック３が送信されうる。
【００４０】
リソース・ブロックに関連付けられた全て（あるいはほとんど）の周波数を用いている間、連続送信構造３００を用いている場合、おのおののコード・ブロックは、サブフレームの持続時間全体の１／４（例えば、０．２５ミリ秒）に及ぶ。そのような連続送信では、速いフェージング・チャネル条件を経験すると、サブフレームの最初の０．２５ミリ秒の間にコード・ブロック０を送信するために使用されるチャネルは、（例えば、コード・ブロック１が送信される）サブフレームの２番目の０．２５ミリ秒の間のチャネル、（例えば、コード・ブロック２が送信される）サブフレームの３番目の０．２５ミリ秒の間のチャネル、および／または、（例えば、コード・ブロック３が送信される）サブフレームの４番目の０．２５ミリ秒の間のチャネルとは基本的に異なりうる。したがって、送信された場合、コード・ブロックのおのおのは、異なるチャネル条件にさらされ得うる。そのような異なるチャネル条件では、何れかのコード・ブロックに誤りがあると、パケット全体（例えば、輸送ブロック、コード・ブロック０−３）が再送信される必要がある。したがって、連続送信構造３００が用いられた場合、パフォーマンスが低下する。なぜなら、共通の輸送ブロックからの２つのコード・ブロックが、他のチャネルを見るからである。
【００４１】
図４を参照して、並列送信構造４００の例が示される。並列送信構造４００では、時間ダイバーシティを与えるために、おのおののコード・ブロックが、サブフレームの持続時間（例えば、１ミリ秒）に及ぶ。したがって、コード・ブロックは、実質的に同じチャネルによって送信されうる（例えば、１つのコード・ブロックが復号に失敗する／復号できない場合、他の３つのコード・ブロックも復号に失敗し／復号できず、４つのコード・ブロックを再送信することになる。これは、残りのコード・ブロックが正しく復号されているものの、１つのコード・ブロックの失敗により、４つのコード・ブロックを再送信することではない）。したがって、４つのコード・ブロックが、チャネルを介して同時に送信されうる。しかしながら、４つのコード・ブロックのおのおのは、異なる周波数を用いて送信されうる。図示するように、おのおののコード・ブロックには、リソース・ブロックの全体の周波数帯域の１／４が割り当てられ、もって、並列送信構造４００を用いた場合、図３の連続送信構造３００と比較して周波数ダイバーシティが縮小されうる。
【００４２】
さらに、送信機が並列送信構造４００を使用する場合、受信機は４つの符号ブロックを同時に取得する（例えば、受信は、サブフレームの終了時に完了する）。したがって、デコーダは、ある期間の間アイドルになり、送信されたコード・ブロックの復調を開始するために、サブフレームが終了するまで待つ。対照的に、図３の連続送信構造３００によって、デコーダは、おのおののコード・ブロックを、受信されたコード・ブロックとして復号することが可能となる。したがって、第１のコード・ブロックが受信され、それに関する復号が開始され、この第１のコード・ブロックが復号されるまで、第２のコード・ブロックが受信され、それに関する復号が開始される。並列送信構造４００では、大量に復号する際におけるスパイクが、サブフレームの終了時に経験され、復号が有効とされる期間中、同じような時間制約が存在しうる（これは、例えば、レイテンシや、デコーダに関連付けられたさらなる複雑さに至る）。
【００４３】
図５に移って、ハイブリッド送信構造５００の例が示される。本明細書に記載されるように、おのおのの符号ブロックは、２つのコード・ブロック・セグメントに分割されうる。例によれば、２４キロビットの輸送ブロックが、おのおの６キロビットのサイズを有する４つのコード・ブロックへ分割されうる。さらに、４つのコード・ブロックがさらに、おのおの３キロビットのサイズを有する２つのコード・ブロック・セグメントへ分割されうる。ハイブリッド送信構造５００を使用する場合、コード・ブロックの第１のセグメントのおのおのは、第１の時間スロット５０２で送信され、コード・ブロックの第２のセグメントのおのおのは、第２の時間スロット５０４で送信されうる。さらに、おのおのの時間スロット内（例えば、時間スロット５０２内、時間スロット５０４内）では、コード・ブロック・セグメントはおのおの、連続的に送信されうる。例えば、時間スロット５０２内では、コード・ブロック０のセグメント１が送信され、次に、コード・ブロック１のセグメントが送信され、さらに、コード・ブロック２のセグメント１、その後、コード・ブロック３のセグメント１が送信される。同様の連続送信は、図５に記載されるような時間スロット５０４について使用されうる。
【００４４】
受信機側（例えば、図２の受信無線通信装置２０４）の観点から、おのおののコード・ブロックは連続的に到着する。デコーダ（例えば図２のパイプライン・デコーダ２１８）は、（例えば、図２の受信機２１６による）コード・ブロックの受信が完了すると、復号を開始しうる。したがって、例えば、復号は、コード・ブロック０の全体を受信すると開始され、コード・ブロック１は、コード・ブロック０の復号が開始されている間に受信されうる等である。
【００４５】
ハイブリッド送信構造５００は、連続送信構造３００および並列送信構造４００の両方に関連付けられた特性を持つ。特に、ハイブリッド送信構造５００を用いることにより、完全な周波数ダイバーシティが提供されうる。さらに、おのおののコード・ブロックは、より類似したチャネル条件で送信さるうるので、ハイブリッド送信構造５００を用いることによって、チャネルの違いによる影響を緩和しながら、連続送信構造３００の有用な態様（例えば、ターン・アラウンド・レイテンシ、高い周波数ダイバーシティを低減するためのパイプライン復号）が得られうる。
【００４６】
図３乃至図５に示す例の比較に基づいて、以下が注目される。イントラ送信時間インタバル（ＴＴＩ）周波数ホッピングがない状態では、コード化されたブロックの並列送信は、高ドップラにおいては最良のパフォーマンスを与える。これは、並列送信で達成される更なる周波数ダイバーシチィによることができる。例えば、利得範囲は、並列送信の場合、連続送信と比較して、１％ブロック誤り率（ＢＬＥＲ）動作点において、０．７ｄＢから０．９ｄＢまででありうる。しかしながら、この利得は、本明細書に記載されるようなハイブリッド送信と比較すると、並列送信の場合、０．２ｄＢから０．４ｄＢまで低減しうる。したがって、ハイブリッド送信構造は、連続送信構造に関連付けられた利点を提供しながら、連続送信構造と比較して、並列送信構造により類似したパフォーマンスを与えうる。さらに、イントラＴＴＩ周波数ホッピングがイネーブルされると、輸送ブロック毎にアクノレッジメント（ＡＣＫ）が送信されると仮定して、構成要素であるコード・ブロックは、周波数ダイバーシティを最大にするために、両ホップに及ぶことが注目されるべきである。
【００４７】
図６乃至図７に示すように、無線通信環境においてハイブリッド送信構造を利用することに関連する方法論が例示される。説明を簡単にするために、これらの方法は、一連の動作として示され記載されるが、これら方法は、この動作順に限定されないことが理解され認識されるべきである。なぜなら、その幾つかの動作は、１または複数の実施形態にしたがって、本明細書に示され記載されたものとは異なる順序で、および／または、別の動作と同時になされうるからである。例えば、当業者であれば、方法は、その代わりに、例えば状態図のような一連の相互関係のある状態またはイベントとして示されうることを理解し認識するであろう。さらに、１または複数の実施形態にしたがって方法を実施するために、例示された全ての動作が必要とされる訳ではない。
【００４８】
図６に関し、無線通信環境においてハイブリッド送信構造を適用することを容易にする方法論６００が例示される。例えば、無線通信環境は、ロング・ターム・エボリューション（ＬＴＥ）ベースの無線通信環境でありうる。６０２では、輸送ブロックが、複数のコード・ブロックへ分割されうる。輸送ブロックは、媒体アクセス制御（ＭＡＣ）プロトコル・データ・ユニット（ＰＤＵ）になり得る。それは、符号化のために物理レイヤへ提供されうる。さらに、例によれば、輸送ブロックは、４つのコード・ブロックへ分割されうる。別の例によれば、輸送ブロックは、２つのコード・ブロックへ分割されうる。しかしながら、輸送ブロックは、実質的に任意の数のコード・ブロックへ分割され、権利主張される主題は、前述された例に限定されないことが認識されるべきである。さらに、複数のコード・ブロックのおのおのは、最大６キロビットのサイズを有しうる。しかしながら、任意のサイズのコード・ブロックが使用されうることが考慮される。例によれば、２４キロビットの輸送ブロックが、おのおの６キロビットのサイズを有する４つのコード・ブロックへ分割されうる。しかし、権利主張される主題は、それに限定されない。
【００４９】
６０４では、複数のコード・ブロックのおのおのは、２または２より多いコード・ブロック・セグメントへ分割されうる。例えば、おのおののコード・ブロックは、２つのコード・ブロック・セグメントへ分割されうる（例えば、コード・ブロックは、コード・ブロック・セグメント１とコード・ブロック・セグメント２に分割されうる）。この例によれば、おのおののコード・ブロックが６キロビットのサイズを有すると仮定すると、おのおののコード・ブロック・セグメントは、３キロビットのサイズを有しうる。
【００５０】
６０６では、複数のコード・ブロックのおのおのに関連付けられたそれぞれの第１のコード・ブロック・セグメントは、サブフレームの第１の時間スロット内で送信されうる。それぞれの第１のコード・ブロック・セグメントは、第１の時間スロット内で連続的に送信されうる。したがって、第１のコード・ブロックに関連付けられた第１のコード・ブロック・セグメントが、第１の時間スロットで送信され、その後、第２のコード・ブロックに関連付けられた第１のコード・ブロック・セグメントが、第１の時間スロットで送信される等となる。６０８では、複数のコード・ブロックのおのおのに関連付けられたそれぞれの第２のコード・ブロック・セグメントが、サブフレームの第２の時間スロット内で送信されうる。第２のコード・ブロック・セグメントそれぞれは、第２の時間スロット内で連続的に送信されうる。したがって、第１のコード・ブロックに関連付けられた第２のコード・ブロック・セグメントが、第２の時間スロット内で送信され、その後、第２のコード・ブロックに関連付けられた第２のコード・ブロック・セグメントが、第１の時間スロット内で送信される等となる。さらに、コード・ブロックが、２より多いコード・ブロック・セグメントに分割される場合、これらの追加のコード・ブロック・セグメントは、サブフレームの異なる時間スロット内で、同様に送信されうる。
【００５１】
コード・ブロック・セグメントを時間的に連続して送信することによって、受信機におけるデコーダは、パイプライン復号を有効にし、これによって、おのおののコード・ブロック・セグメントが受信されると（あるいは、コード・ブロックが完全に受信されると）復号されるようになる。また、コード・ブロック・セグメントは、（例えば、並列送信構造の場合、サブフレームの終了時において）同時ではなく、交互する時間において受信されうる。さらに、複数のコード・ブロックのおのおののコード・ブロック・セグメントを、サブフレームの異なる時間スロットで送信することによって、おのおののコード・ブロックは、連続送信構造が利用される場合により類似したチャネル条件を経験しうる。さらに、コード・ブロック・セグメントはおのおの、リソース・ブロックの周波数のフル・セットを用いて（例えば、周波数ダイバーシティを与えるために、リソース・ブロックの全ての周波数を用いて）送信されうる。さらに、コード・ブロック・セグメントは、アップリンク・チャネル（例えば、物理アップリンク共有チャネル（ＰＵＳＣＨ））またはダウンリンク・チャネル（例えば、物理ダウンリンク共有チャネル（ＰＤＳＣＨ））によって送信されうる。
【００５２】
図７に移って、無線通信環境における他のコード・ブロックのためのチャネル均一性を高めながら、デコーダによるパイプライン復号を可能とする方法論７００が例示される。７０２では、コード・ブロックのセットに対応するコード・ブロック・セグメントの第１のセットが送信されうる。コード・ブロック・セグメントの第１のセットは、リソース・ブロックに関連付けられた周波数のセットを用いて、サブフレームの第１の時間スロット内で、時間的に連続して送信されうる。７０４では、コード・ブロックのセットに対応するコード・ブロック・セグメントの第２のセットが送信されうる。コード・ブロック・セグメントの第２のセットは、リソース・ブロックに関連付けられた周波数のセットを用いて、サブフレームの第２の時間スロット内で、時間的に連続して送信されうる。例えば、コード・ブロック・セグメントの第１のセットおよび第２のセットは、本明細書に記載されたようなハイブリッド送信構造にしたがって有効とされうる。
【００５３】
本明細書に記載された１または複数の態様によれば、ハイブリッド送信構造の使用に関する推論がなされることが認識されよう。本明細書で使用されるように、「推論する」または「推論」なる文言は一般に、イベントおよび／またはデータによってキャプチャされるような観察のセットから、システム、環境、および／または、ユーザの状態を推理または推論するプロセスを称する。推論は、特定の文脈または動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５４】
例によれば、上述した１または複数の方法は、所与の時間において利用するための送信構造のタイプ（例えば、ハイブリッド送信構造、並列送信構造、連続送信構造）を決定することに関する推論を行うことを含みうる。さらなる例によれば、輸送ブロックに基づいて、形成するコード・ブロックの数を決定することに関連する推論がなされうる。前述した例は本質的に例示であって、本明細書に記載されたさまざまな実施形態および／または方法に関連して推論される方法、または推論される数を制限することは意図されていないことが認識されよう。
【００５５】
図８は、無線通信システムにおいてハイブリッド送信構造にしたがってデータを送信するアクセス端末８００の実例である。アクセス端末８００は、例えば受信アンテナ（図示せず）から信号を受信し、受信した信号について一般的な動作（例えば、フィルタ、増幅、ダウンコンバート等）を実行し、調整された信号をデジタル化してサンプルを得る受信機８０２を備えうる。受信機８０２は例えばＭＭＳＥ受信機であり、受信したシンボルを復調し、それらを、チャネル推定のためにプロセッサ８０６へ提供する復調器８０４を備えうる。プロセッサ８０６は、受信機８０２によって受信された情報を分析すること、および／または、送信機８１６による送信のための情報を生成することに特化されたプロセッサでありうるか、アクセス端末８００の１または複数の構成要素を制御するプロセッサでありうるか、および／または、受信機８０２によって受信された情報の分析と、送信機８１６による送信のための情報の生成と、アクセス端末８００の１または複数の構成要素の制御との両方を行うプロセッサでありうる。
【００５６】
アクセス端末８００はさらに、プロセッサ８０６と動作可能に接続されたメモリ８０８を備えうる。メモリ８０８は、送信されるデータ、受信したデータ、および、本明細書に記載されたさまざまな動作および機能を実行することに関連するその他任意の情報を格納しうる。メモリ８０８は例えば、アクセス端末８００によってチャネルを介して送信されるべき輸送ブロックを格納しうる。メモリ８０８はさらに、輸送ブロックに含まれるデータを符号化すること、輸送ブロックをコード・ブロックに分割すること、コード・ブロックをコード・ブロック・セグメントに分割すること等のためのアルゴリズムおよび／またはプロトコルを格納しうる。さらに、メモリ８０８は、受信されたコード・ブロック・セグメントをパイプライン方式で復号するためのアルゴリズムおよび／またはプロトコルを格納しうる。
【００５７】
本明細書に記載のデータ・ストア（例えば、メモリ８０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。対象とするシステムおよび方法のメモリ８０８は、限定される訳ではないが、これらおよびその他任意の適切なタイプのメモリを備えることが意図される。
【００５８】
受信機８０２はさらに、コード・ブロック生成器８１０および／またはコード・ブロック・デバイダ８１２へ動作可能に接続されている。これらは、図２のコード・ブロック生成器２０６および図２のコード・ブロック・デバイダ２０８と実質的に類似しうる。コード・ブロック生成器８１０は、輸送ブロックを、複数（例えば２、４、任意の整数）のコード・ブロックに分割しうる。さらに、コード・ブロック・デバイダ８１２は、複数のコード・ブロックのおのおのを、複数（例えば、２、２より多い）のコード・ブロック・セグメントへ分離しうる。アクセス端末８００はさらに、例えば基地局、他のアクセス端末等へ信号を送信する送信機８１６および変調器８１４を備えうる。送信機８１６は、コード・ブロック・セグメントをチャネル（例えば、アップリンク・チャネル、ダウンリンク・チャネル）を介して送信する場合、本明細書に記載したようなハイブリッド送信構造を適用しうる。さらに、送信機８１６は、図２の送信機２１４と実質的に類似しうる。プロセッサ８０６とは別に示されているが、コード・ブロック生成器８１０、コード・ブロック・デバイダ８１２、および／または変調器８１４は、プロセッサ８０６または多くのプロセッサ（図示せず）の一部でありうることが認識されるべきである。
【００５９】
図９は、無線通信環境においてデータを送信するためにハイブリッド送信構造を用いるシステム９００の実例である。システム９００は、複数の受信アンテナ９０６を介して１または複数のアクセス端末９０４から信号を受信する受信機９１０と、送信アンテナ９０８を介して１または複数のアクセス端末９０４へ信号を送信する送信機９２４とを備える基地局９０２（例えば、アクセス・ポイント）を備える。受信機９１０は、受信アンテナ９０６から情報を受信する。また、受信した情報を復調する復調器９１２と動作可能に関連付けられている。復調されたシンボルは、図８に関して上述したプロセッサに類似したプロセッサ９１４によって分析されうる。プロセッサ９１４は、送信されるべきデータ、またはアクセス端末９０４（または（図示しない）他の基地局）から受信したデータ、および／または、本明細書に記載のさまざまな動作および機能を実行することに関連するその他任意の適切な情報を格納するメモリ９１６に接続されている。プロセッサ９１４はさらに、輸送ブロックを取得しこれら輸送ブロックを複数のコード・ブロックへセグメント化するコード・ブロック生成器９１８に接続される。コード・ブロック生成器９１８は、コード・ブロック・デバイダ９２０に動作可能に接続されうる。コード・ブロック生成器９１８は、複数のコード・ブロックを、コード・ブロック・デバイダ９２０へ出力しうる。さらに、コード・ブロック・デバイダ９２０は、複数のコード・ブロックのおのおのを、２または２より多いコード・ブロック・セグメントへそれぞれ分割しうる。コード・ブロック生成器９１８、図２のコード・ブロック生成器２０６に実質的に類似し、および／または、コード・ブロック・デバイダ９２０は、図２のコード・ブロック・デバイダ２０８に実質的に類似しうることが考慮される。さらに、コード・ブロック生成器９１８および／またはコード・ブロック・デバイダ９２０は、送信される情報を変調器９２２に提供しうる。変調器９２２は、送信機９２４によるアンテナ９０８を介したアクセス端末９０４への送信のためのフレームを多重化しうる。さらに、図２の送信機２１４に実質的に類似した送信機９２４は、ハイブリッド送信構造に基づいて、コード・ブロック・デバイダ９２０によって生成されたコード・ブロック・セグメントを送信することができる。プロセッサ９１４と別に示されているが、コード・ブロック生成器９１８、コード・ブロック・デバイダ９２０、および／または変調器９２２は、プロセッサ９１４または（図示しない）多くのプロセッサの一部でありうることが認識されるべきである。
【００６０】
図１０は、無線通信システム１０００の例を示す。無線通信システム１０００は、簡潔さの目的で、１つの基地局１０１０と１つのアクセス端末１０５０とを示している。システム１０００は、１より多い基地局および／または１より多いアクセス端末を含みうる。これら追加の基地局および／またはアクセス端末は、以下に説明する基地局１０１０およびアクセス端末１０５０の例と実質的と同じでも、別のものでもありうることが認識されるべきである。さらに、基地局１０１０および／またはアクセス端末１０５０は、その間の無線通信を容易にするために、本明細書に記載されたシステム（図１、図２、図８−図９）および／または方法（図６−図７）を適用しうることが認識されるべきである。
【００６１】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームは、それぞれのアンテナを介して送信される。ＴＸデータ・プロセッサ１０１４は、トラフィック・データ・ストリームをフォーマットし、このデータ・ストリームのために選択された特定の符合化スキームに基づいて符号化し、インタリーブして、符合化されたデータを提供する。
【００６２】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにアクセス端末１０５０において使用されうる。おのおののデータ・ストリームに関する多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、コーディング、および変調は、プロセッサ１０３０によって実行または提供される命令によって決定されうる。
【００６３】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０はその後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００６４】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号は、ＮＴ個のアンテナ１０２４ａ乃至１０２４ｔそれぞれから送信される。
【００６５】
アクセス端末１０５０では、送信された変調信号がＮＲ個のアンテナ１０５２ａ乃至１０５２ｒによって受信され、おのおののアンテナ１０５２からの受信信号が、それぞれの受信機（ＲＣＶＲ）１０５４ａ乃至１０５４ｒへ提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６６】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１２１０におけるＴＸ  ＭＩＭＯプロセッサ１０２０およびＴＸデータ・プロセッサ１０１４によって実行されるものと相補的である。
【００６７】
プロセッサ１０７０は、上述したように、どの事前符合化行列を使用するのかを定期的に決定する。さらに、プロセッサ１０７０は、行列インデクス部およびランク値部を備えた逆方向リンク・メッセージを規定することができる。
【００６８】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１０３６から受け取るＴＸデータ・プロセッサ１０３８によって処理され、変調器１０８０によって変調され、送信機１０５４ａ乃至１０５４ｒによって調整され、基地局１０１０へ送り戻される。
【００６９】
基地局１０１０では、アクセス端末１０５０からの変調信号が、アンテナ１０２４によって受信され、受信機１０２２によって調整され、復調器１０４０によって復調され、ＲＸデータ・プロセッサ１０４２によって処理されて、アクセス端末１０５０によって送信された逆方向リンク・メッセージを抽出する。さらに、プロセッサ１０３０は、ビームフォーミング重みを決定するためにどの事前符合化行列を使用するかを決定するために、この抽出されたメッセージを処理する。
【００７０】
プロセッサ１０３０およびプロセッサ１０７０は、基地局１０１０およびアクセス端末１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００７１】
態様では、論理チャネルが、制御チャネルとトラフィック・チャネルとに分類される。論理制御チャネルは、ブロードキャスト制御チャネル（ＢＣＣＨ）を含むことができる。それは、システム制御情報をブロードキャストするためのＤＬチャネルである。さらに、論理制御チャネルは、ページング制御チャネル（ＰＣＣＨ）を含むことができる。それは、ページング情報を転送するＤＬチャネルである。さらに、論理制御チャネルは、マルチキャスト制御チャネル（ＭＣＣＨ）を備えうる。これは、マルチメディア・ブロードキャストおよびマルチキャスト・サービス（ＭＢＭＳ）スケジューリングと、１または複数のＭＴＣＨのための制御情報とを送信するために使用されるポイント・トゥ・マルチポイントＤＬチャネルである。一般に、ラジオ・リソース制御（ＲＲＣ）接続を確立した後、このチャネルは、ＭＢＭＳ（注：旧ＭＣＣＨ＋ＭＳＣＨ）を受信するＵＥによってのみ使用される。さらに、論理制御チャネルは、専用制御チャネル（ＤＣＣＨ）を含みうる。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、専用トラフィック・チャネル（ＤＴＣＨ）を備える。これは、ユーザ情報を送信するための、１つのＵＥに専用のポイント・トゥ・ポイント双方向チャネルである。さらに、論理トラフィック・チャネルは、トラフィック・データを送信するポイント・トゥ・マルチポイントＤＬチャネルのためのマルチキャスト・トラフィック・チャネル（ＭＴＣＨ）を含みうる。
【００７２】
態様では、輸送チャネルが、ＤＬとＵＬに分類される。ＤＬ輸送チャネルは、ブロードキャスト・チャネル（ＢＣＨ）、ダウンリンク共有データ・チャネル（ＤＬ−ＳＤＣＨ）、およびＰＣＨは、セル全体にわたってブロードキャストされ、他の制御／トラフィック・チャネルのために使用される物理レイヤ（ＰＨＹ）リソースへマップされることによって、ＵＥの節電をサポートする（例えば、不連続受信（ＤＲＸ）サイクルが、ネットワークによってＵＥへ示されうる等）。ＵＬ輸送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００７３】
ＰＨＹチャネルは、ＤＬチャネルとＵＬチャネルとからなるセットを備える。例えば、ＤＬ  ＰＨＹチャネルは、次のものを含むことができる。共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）。さらなる例によれば、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有リクエスト・チャネル（ＳＲＥＱＣＨ）、ＵＬ物理共有データ・チャネル（ＵＬ−ＰＳＤＣＨ）、および／または、広帯域パイロット・チャネル（ＢＰＩＣＨ）を含みうる。
【００７４】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７５】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７６】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７７】
図１１に示すように、無線通信環境においてハイブリッド送信構造を用いることを可能にするシステム１１００が例示される。例えば、システム１１００は、アクセス端末内に少なくとも部分的に存在しうる。別の例示によれば、システム１１００は、基地局内に少なくとも部分的に存在しうる。システム１１００は、プロセッサ、ソフトウェア、または（例えば、ファームウェアのような）これらの組み合わせによって実現される機能を表す機能ブロックでありうる機能ブロックを含むものとして表されることが認識されるべきである。システム１１００は、連携して動作しうる電子構成要素の論理グループ１１０２を含む。例えば、論理グループ１１０２は、輸送ブロックに関連付けられたおのおののコード・ブロックを、それぞれ２つのコード・ブロック・セグメントに分割する電子構成要素１１０４を含みうる。例えば、輸送ブロックは、合計８つのコード・ブロック・セグメントを生成しうる。しかしながら、権利主張された主題は、それに限定されない。さらに、図示しないが、論理グループ１１０２は、輸送ブロックをコード・ブロックに分割する電子構成要素１１０４を含みうる。さらに、論理グループ１１０２は、ハイブリッド送信構造に基づいて、サブフレームの第１の時間スロット内で、コード・ブロックのおのおののコード・ブロック・セグメントのうちの１つを含むコード・ブロック・セグメントの第１のセットを送信し、サブフレームの第２の時間スロット内で、コード・ブロックのおのおののコード・ブロック・セグメントのうちの他のものを含むコード・ブロック・セグメントの第２のセットを送信する電子構成要素１１０６を含みうる。したがって、コード・ブロックのおのおのは、サブフレーム（例えば、送信時間間隔（ＴＴＩ））の両スロットに及びうる。さらに、スロットのおのおの内では、コード・ブロックからのコード・ブロック・セグメントは、時間的に連続して送信されうる。さらに、システム１１００は、電子構成要素１１０４、１１０６に関連付けられた機能を実行するための命令群を保持したメモリ１１０８を含みうる。メモリ１１０８の外側にあると示されているが、電子構成要素１１０４、１１０６は、メモリ１１０８内に存在しうることが理解されるべきである。
【００７８】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010532641.tif 000003
【図２】
2010532641.tif 000004
【図３】
2010532641.tif 000005
【図４】
2010532641.tif 000006
【図５】
2010532641.tif 000007
【図６】
2010532641.tif 000008
【図７】
2010532641.tif 000009
【図８】
2010532641.tif 000010
【図９】
2010532641.tif 000011
【図１０】
2010532641.tif 000012
【図１１】
2010532641.tif 000013
【国際調査報告】
2010532641.tif 000014
2010532641.tif 000015
2010532641.tif 000016